(57)【特許請求の範囲】
【請求項１】
撮影された画像を記録媒体に記録可能なデジタルカメラと、上記デジタルカメラが連結可能とされ、上記デジタルカメラの記録媒体に記録されている画像を印刷するプリンタと、を有したプリントシステムにおいて、
上記プリンタと上記デジタルカメラとの連結を検出する手段と、
上記デジタルカメラと上記プリンタが連結された時の上記カメラの状態を検出する手段と、
上記デジタルカメラと上記プリンタが連結された時の上記カメラの状態に応じて上記プリンタの印刷モードを設定する手段と、
を具備したことを特徴とするプリントシステム。
【請求項２】
撮影された画像を記録媒体に記録可能でかつ記録された画像を表示する表示手段を有したデジタルカメラと、上記デジタルカメラが連結可能とされ、上記デジタルカメラの記録媒体に記録されている画像を印刷するプリンタと、を具備したプリントシステムにおいて、
上記デジタルカメラと上記プリンタとの連結を検出する手段と、
上記デジタルカメラと上記プリンタとが連結された時に、上記カメラの表示手段が表示状態か非表示状態かを検出する手段と、
上記デジタルカメラと上記プリンタとが連結された時に、上記表示手段が表示状態であった場合に、第１の印刷モードにし、上記表示手段が非表示状態であった場合に、第２の印刷モードに設定する手段と、
を具備したことを特徴とするプリントシステム。
【請求項３】
撮影された画像を記録媒体に記録可能なデジタルカメラと、上記デジタルカメラが連結可能とされ、上記デジタルカメラの記録媒体に記録されている画像を印刷するプジンタと、を有したプジントシステムにおいて、
上記デジタルカメラと上記プリンタとの連結を検出する手段と、
上記デジタルカメラと上記プリンタとが連結された時に、上記カメラの電源がオン状態かオフ状態かを検出する手段と、
上記デジタルカメラと上記プリンタとが連結された時に、上記カメラの電源がオン状態であった場合に、当該プリンタを第１の印刷モードにし、上記カメラの電源がオフ状態であった場合に、当該プリンタを第２の印刷モードに設定する手段と、
を具備したことを特徴とするプリントシステム。
【請求項４】
上記デジタルカメラ及び/又は上記プリンタは印刷開始操作部材を有し、
上記デジタルカメラはその記録媒体に記録されている画像のうち、表示する画像を選択する選択手段を有しており、
上記プリンタは、上記印刷開始操作部材の操作に応じて、第１の印刷モードにおいては、上記選択手段により選択表示された画像のみを印刷し、
第２の印刷モードにおいては、上記記録媒体に記録されている全ての画像を印刷することを特徴とする請求項２に記載のプリントシステム。
【請求項５】
動作を制御するための制御手段がそれぞれ備えられたデジタルカメラとプリンタとが機能的に結合されてなるプリントシステムに適用されるプリンタであって、
上記デジタルカメラの連結を検出する手段と、上記プリンタに上記デジタルカメラが連結された時の上記カメラの状態を検出する手段と、上記プリンタに上記デジタルカメラが連結された時の上記カメラの状態に応じて印刷モードを設定する手段と、を具備したことを特徴とするプリンタ。
【請求項６】
上記デジタルカメラ及び／又は上記プリンタは印刷開始操作部材を有し、
上記デジタルカメラはその記録媒体に記録されている画像のうち、表示する画像を選択する選択手段を有しており、
上記プリンタは、上記印刷開始操作部材の操作に応じて、上記第１の印刷モードにおいては、上記選択手段により選択表示された画像のみを印刷し、
上記第２の印刷モードにおいては、上記印刷開始操作部材の操作に応じて上記デジタルカメラの電源をオンにするための電源オン要求を出力し、当該デジタルカメラの電源がオンになった際に当該デジタルカメラの記録媒体に記録されている全ての画像を取得してこの取得した画像を印刷することを特徴とする請求項３に記載のプリントシステム。
【発明の詳細な説明】
【０００１】
【発明の属する技術分野】
本発明は、プリントシステム並びにこのシステムを構成するプリンタ及びデジタルカメラに関し、特にデジタルカメラをプリンタに一体的に接続可能とするシステムにおいて、操作者の所望する印刷モードに容易に設定でき、プリンタの使い勝手を向上させるための技術に関するものである。
【０００２】
【従来の技術】
近年、デジタルカメラとこのデジタルカメラで撮影した画像を印刷するプリンタからなるシステムは種々提案されている。
【０００３】
例えば、特開平11-8792号公報、特開平11-155120号公報、特開平11-275418号公報、特開平11-298776号公報には、プリンタ一体結合可能なデジタルカメラシステム、プリントシステムがそれぞれ開示されている。
【０００４】
特開平11-8792号公報には、デジタルカメラを表示画面を上向きにしてスライドさせることにより接続コードを介することなく着脱可能にプリンタに一体結合させたプリントシステムを形成できること、そして、プリンタのパワーボタンを押し、デジタルカメラの再生画像を画像送り選択ボタンにて選択し、プリントボタンを押すことで撮影画像をプリントできること、が述べられている。
【０００５】
特開平11-155120号公報には、デジタルカメラを表示画面を上向きにしてスライドさせることにより接続コードを介することなく着脱可能にプリンタに一体結合させたプリントシステムにおいて、プリンタに設けた転送モードスイッチを自動に設定しておくことにより、デジタルカメラが装着されると、カメラ内の画像データが自動的にプリンタ側のメモリに転送されること、が開示されている。
【０００６】
また、特開平11-275418号公報には、デジタルカメラを接続コードを介することなく着脱可能にプリンタに一体結合させたプリントシステムにおいて、双方を接続する接続手段と、デジタルカメラに設けて双方の接続を検出する検出手段と、プリンタに設けて所定の情報を入力できる入力処理部とを備え、検出手段の接続検出により、入力処理部から画像情報が直接入力された場合に、デジタルカメラの液晶モニタに表示出力すると共にデジタルカメラの画像処理手段を作動可能又はプリンタでプリント可能とすること、が述べられている。
【０００７】
さらに、特開平11-298776号公報には、デジタルカメラをプリンタに一体的に接続可能とし、このカメラの表示装置及びキー入力部が一体接続時に、カメラの表側に露出して操作可能に構成したこと、が開示されている。
【０００８】
通常、デジタルカメラでは、撮影した画像を記録媒体に記録可能であると共に、記録された画像、或いは撮影しようとする画像を表示手段に表示することが可能となっている。
【０００９】
一方、通常、デジタルカメラで撮影を行った後に印刷をする場合、該デジタルカメラで撮影した全ての画像データを一度に印刷することを所望する場合（全コマ印刷モード）と、撮影した全ての画像データのうち所望の画像を選択して、選択された画像のみを印刷することを所望する場合（１コマ印刷モード）とが存在する。
【００１０】
前者の場合、デジタルカメラの記録媒体に記録された全ての画像データを印刷することが目的であるので、画像を選択する必要がないため、画像を確認するために、カメラの表示装置を作動させることは不要である。
【００１１】
一方後者の場合は、デジタルカメラで撮影した全ての画像データの中から所望の画像を選択するために、カメラの表示装置を作動させる必要がある。
【００１２】
【発明が解決しようとする課題】
しかしながら、上述の何れの公報でも、デジタルカメラをプリンタに一体的に接続可能とするシステムにおいて、プリンタに接続されるデジタルカメラの表示装置のオン，オフに応じてプリンタの印刷モードを切り換える思想について言及されてはいない。
【００１３】
従って、従来は、プリンタにデジタルカメラを装着してから所望の印刷モードを選択するのが面倒であった。例えば、１コマ印刷する場合、プリンタにデジタルカメラを装着してからデジタルカメラの電源及び表示部をオンにし表示部で画像を選択してからプリンタの印刷モードを１コマ印刷モードに設定した後、プリントボタンを押す必要があった。また、全コマ印刷する場合、プリンタにデジタルカメラを装着してからデジタルカメラの少なくとも電源をオンにしプリンタの印刷モードを全コマ印刷モードに設定した後、プリントボタンを押す必要があった。つまり、操作者の所望する印刷モードに設定するのに手間がかかり、プリンタとしての使い勝手が悪かった。
【００１４】
本発明は上記の事情に鑑み、デジタルカメラとこのデジタルカメラの撮影画像を印刷するプリンタとを有するプリントシステムにおいて、使用者の操作意図に沿ったプリンタの印刷モードを自動的に設定することにより、システムの操作性を向上させることができるプリントシステム並びにこのシステムを構成するプリンタ及びデジタルカメラを提供することを目的とするものである。
【００１５】
【課題を解決するための手段】
本発明は、撮影された画像を記録媒体に記録可能なデジタルカメラと、上記デジタルカメラが連結可能とされ、上記デジタルカメラの記録媒体に記録されている画像を印刷するプリンタと、を有したプリントシステムにおいて、上記プリンタと上記デジタルカメラとの連結を検出する手段と、上記デジタルカメラと上記プリンタが連結された時の上記カメラの状態を検出する手段と、上記デジタルカメラと上記プリンタが連結された時の上記カメラの状態に応じて上記プリンタの印刷モードを設定する手段と、を具備したことを特徴とする。
【００１６】
本発明においては、上記デジタルカメラと上記プリンタが連結された時の上記カメラの状態（例えばカメラ表示部のオン／オフ或いはカメラ電源のオン／オフ）を検出し、カメラの状態に応じて上記プリンタの印刷モードを設定することができるので、使用者の操作意図に沿ったプリンタの印刷モードを自動的に設定して、システムの操作性を向上させることができる。
【００１７】
本発明は、撮影された画像を記録媒体に記録可能でかつ記録された画像を表示する表示手段を有したデジタルカメラと、上記デジタルカメラが連結可能とされ、上記デジタルカメラの記録媒体に記録されている画像を印刷するプリンタと、を具備したプリントシステムにおいて、上記デジタルカメラと上記プリンタとの連結を検出する手段と、上記デジタルカメラと上記プリンタとが連結された時に、上記カメラの表示手段が表示状態か非表示状態かを検出する手段と、上記デジタルカメラと上記プリンタとが連結された時に、上記表示手段が表示状態であった場合に、第１の印刷モードにし、上記表示手段が非表示状態であった場合に、第２の印刷モードに設定する手段と、を具備したことを特徴とする。
【００１８】
本発明においては、上記デジタルカメラと上記プリンタが連結された時のカメラ表示部のオン／オフを検出し、表示部のオン／オフ状態に応じて使用者の操作意図に沿った印刷モードを自動的に設定することが可能となり、システムの操作性を向上させることができる。
【００１９】
本発明は、撮影された画像を記録媒体に記録可能なデジタルカメラと、上記デジタルカメラが連結可能とされ、上記デジタルカメラの記録媒体に記録されている画像を印刷するプリンタと、を有したプリントシステムにおいて、上記デジタルカメラと上記プリンタとの連結を検出する手段と、上記デジタルカメラと上記プリンタとが連結された時に、上記カメラの電源がオン状態かオフ状態かを検出する手段と、上記デジタルカメラと上記プリンタとが連結された時に、上記カメラの電源がオン状態であった場合に、当該プリンタを第１の印刷モードにし、上記カメラの電源がオフ状態であった場合に、当該プリンタを第２の印刷モードに設定する手段と、を具備したことを特徴とする。
【００２０】
本発明においては、上記デジタルカメラと上記プリンタが連結された時のカメラ電源のオン／オフを検出し、カメラ電源のオン／オフ状態に応じて使用者の操作意図に沿った印刷モードを自動的に設定することが可能となり、システムの操作性を向上させることができる。
【００２１】
また、本発明は、動作を制御するための制御手段がそれぞれ備えられたデジタルカメラとプリンタとが機能的に結合されてなるプリントシステムに適用されるプリンタであって、上記デジタルカメラの連結を検出する手段と、上記プリンタに上記デジタルカメラが連結された時の上記カメラの状態を検出する手段と、上記プリンタに上記デジタルカメラが連結された時の上記カメラの状態に応じて印刷モードを設定する手段と、を具備したことを特徴とする。
【００２４】
【発明の実施の形態】
発明の実施の形態について図面を参照して説明する。
図１は本発明に係るプリントシステムの構成を概略的に示す図である。
【００２５】
図１において、プリントシステムは、デジタルカメラ１０とプリンタ４０とを接続して構成されている。
【００２６】
このプリントシステムは、図１(a)に示すような、単体で画像の撮影を行うデジタルカメラ（以下では、簡単のために「カメラ」と記載する）１０を、例えばこのカメラ１０専用のプリンタ４０に接続することにより、図１(b)に示すようなシステムとして構成されるようになっている。カメラ１０とプリンタ４０とは、連結手段を介して直接又はケーブルを介して接続される。図１には図示していないが、プリンタ４０の例えば上面にはデジタルカメラ１０を着脱可能に連結する手段が設けられており、その連結をコネクターとその受け部の電気的接続に基づいて検出するか、或いは図１(a)に示すようにプリンタの装着面に突没可能に設けた装着検出スイッチ５６にてメカ的に検出する。
【００２７】
図１(a)及び(b)には、カメラ１０の背面側が示されている。カメラ１０の正面には、通常、撮影光学系１１やストロボ発光部２７（いずれも図３参照）などが存在している。
【００２８】
カメラ１０の背面には、カメラ内の記録媒体（図示せず）に記録している画像、またはデジタルカメラで撮影しようとしている画像を表示する液晶パネルなどで構成される表示部２６と、各種の操作スイッチで構成される操作部２８などが配設されている。操作部２８に構成される各種の操作スイッチには、カメラ１０の電源をオン／オフするための電源スイッチ２８１、表示部２６に表示する画像を１コマずつ送ることが可能なコマ送りスイッチ２８２、表示部２６を表示状態（オン）と非表示状態（オフ）とに切り換える表示オン／オフスイッチ２８３などがある。
【００２９】
プリンタ４０には、フロントパネルなどに印刷開始操作部材としてのプリントスイッチ４５１、印刷したペーパーを排出するためのプリント排出口５５などが配設されている。
【００３０】
図２は図１のプリントシステムの要部の機能的な構成のブロック図を示している。
【００３１】
図２において、カメラ１０は、各種のカメラモードを選択するカメラモード選択手段１を備えており、カメラモード選択手段１にて選択されたカメラモードはカメラモード設定手段２に設定される。カメラモード設定手段２は例えばマイクロプロセッサなどで構成されるものである。カメラモード設定手段２にカメラモードが一度設定された後は、そのカメラモードを変更したい場合は、再びカメラモード選択手段１にて別のカメラモードを選択することによってその設定内容を切り換えることができる。カメラモードは、カメラ１０の各種状態を指しており、例えば、カメラ１０の表示手段（図示せず）がオンかオフかを示す表示モードや、カメラ１０の電源部（図示せず）がオンかオフかを示す電源オン／オフモードなどである。
【００３２】
プリンタ４０は、カメラ１０の連結状態を検出する連結検出手段３を有しており、カメラ１０が連結された状態においては、カメラモード検出手段４は、カメラ１０内のカメラモード設定手段２からカメラモードを検出し、プリンタモード設定手段５に送る。プリンタモード設定手段５は、カメラモード検出手段４で検出したカメラモードに応じて、プリンタ４０の印刷モードを設定する。印刷モードは、プリンタ４０の各種印刷モードを指しており、例えば、カメラ１０内の記録媒体に記録している全ての画像を印刷する全コマ印刷モードや、カメラ１０内の記録媒体に記録している画像のうちから、ユーザーが選択した画像を１コマずつ印刷する１コマ印刷モードなどである。
【００３３】
このようなプリントシステムのさらに詳細な構成について、図３を参照して説明する。図３はデジタルカメラとプリンタとを接続してなるプリントシステムの主として電気的な構成を示すブロック図である。
【００３４】
上記カメラ１０は、撮影光学系１１と、撮像素子１２と、撮像回路１３と、Ａ／Ｄ変換器１４と、フレームバッファメモリ１５と、画像処理回路１６と、レンズ駆動制御回路１８と、レンズ駆動部１９と、メモリインターフェース（以下、メモリＩ／Ｆ）２０と、カードスロット２１と、記録媒体としてのメモリカード２２と、外部インターフェース（以下、外部Ｉ／Ｆ）２３と、外部入出力端子２４と、ビデオ出力回路２５と、表示手段としての画像表示用液晶パネル（以下、画像表示ＬＣＤ）２６と、ストロボ発光部２７と、操作部２８と、電源部２９と、カメラ電池３０と、外部電源入力端子３１と、受信手段としてのインターフェース（以下、Ｉ／Ｆ）３２と、コネクター３３と、システムコントローラ１７とを備えて構成されている。なお、メモリカード２２はカメラ１０に対して着脱可能である。
【００３５】
撮影光学系１１は、被写体像を光学的に結像するためのものであり、例えばズームレンズ系として構成されている。撮像素子１２は、この撮影光学系１１により結像された被写体像を光電変換して電気的なアナログ信号として出力する。
【００３６】
撮像回路１３は、撮像素子１２を制御するとともに該撮像素子１２から出力されるアナログ信号に必要な処理を施してから出力する。Ａ／Ｄ変換器１４は、この撮像回路１３から出力されたアナログ信号をデジタル信号に変換する。フレームバッファメモリ１５は、このＡ／Ｄ変換器１４により変換された画像データを一旦記憶しておく。
【００３７】
画像処理回路１６は、後述するシステムコントローラ１７の制御に基づき上記フレームバッファメモリ１５に記憶された画像データに各種の画像処理を施すものであり後述するメモリカード２２に記録する際のＪＰＥＧ圧縮や読み出す際のＪＰＥＧ伸張も行う。
【００３８】
レンズ駆動制御回路１８は、上記システムコントローラ１７の制御に基づきズームやオートフォーカスを行わせるために後述のレンズ駆動部１９を制御する。レンズ駆動部１９は、このレンズ駆動制御回路１８の制御に基づき上記撮影光学系１１に含まれるズームレンズやフォーカスレンズを駆動する。
【００３９】
メモリＩ／Ｆ２０は、上記システムコントローラ１７の制御に基づき上記画像処理回路１６によりＪＰＥＧ圧縮された画像データを後述のメモリカード２２に記録するように制御し、或いは該メモリカード２２に記録された画像データを読み出すように制御する。
【００４０】
カードスロット２１は、これに上記メモリカード２２が電気的に接続されることにより、メモリＩ／Ｆ２０との信号の授受を可能とする。メモリカード２２は、このカードスロット１２に着脱自在に接続されるようになっているカード形状をなす不揮発性の記録媒体である。
【００４１】
外部Ｉ／Ｆ２３は、上記システムコントローラ１７の制御に基づいて外部機器との信号の授受を行うためのものである。外部入出力端子２４は、接続コード等を介して外部機器と接続されることにより外部Ｉ／Ｆ２３との信号の授受を可能とする。
【００４２】
ビデオ出力回路２５は、上記フレームバッファメモリ１５に記憶された画像データに基づき撮影前に被写体の構図等を決定する際にＬＣＤ表示用画像をフレーム毎に出力したり、撮影後に画像を再生する際に１フレームのＬＣＤ表示用画像を出力したりする。
【００４３】
画像表示ＬＣＤ２６は、上記ビデオ出力回路２５の出力を受けて画像やこのカメラに係る情報等を表示する表示手段を構成している。
【００４４】
ストロボ発光部２７は、上記システムコントローラ１７の制御に基づき被写体の輝度が低いときや主要被写体が逆光にあるときなどに照明光を照射する。
【００４５】
操作部２８は、ユーザにより、電源オン／オフ手段、コマ送り手段、画面表示オン／オフ手段などのカメラの各種モードの操作を行うための手段を含んでいる。
【００４６】
電源部２９は、カメラ１０内の各部に電源を供給するためのものであり、カメラ電池３０は、例えば着脱可能に設けられていて後述する外部電源入力端子３１から外部電源が接続されていないときに上記電源部２９に電力を供給するものである。また、外部電源入力端子３１は、外部電源が接続されたときに上記電源部２９に電力を供給する。
【００４７】
Ｉ／Ｆ３２は、上記システムコントローラ１７の制御に基づき上記プリンタ４０と情報の授受を行うインタフェースである。コネクタ３３は、プリンタ４０の後述するコネクタ受け４１と電気的に接続されることによりこのＩ／Ｆ３２との信号の授受を可能とする。
【００４８】
システムコントローラ１７は、上述したような各回路を含むカメラ１０全体を統括的にコントロールするものであり、上記プリンタ４０に接続された際にはそのときのカメラ１０の状態情報をプリンタ４０に知らせたり、プリンタ４０からのデータ要求を受けてカメラ１０内のメモリカード２２に記録してある画像データを読み出し、画像処理回路１６等に処理させてプリントデータを作成し、プリンタ４０へ送信する処理を行う。
【００４９】
また、上記操作部２８は、前述の電源スイッチ２８１，コマ送りスイッチ２８２，表示オン／オフスイッチ２８３のほかに、撮影動作を行うためのレリーズボタン、このカメラ１０の設定等に係るメニューを上記画像表示ＬＣＤ２６に表示するためのメニューボタン、表示されたメニューの内の選択可能な項目を移動するための選択ボタン、選択された項目を決定するための決定ボタン、等を含んで構成されている。
【００５０】
次に、上記プリンタ４０は、コネクタ受け４１と、インターフェース（以下、Ｉ／Ｆ）４２と、ラインバッファメモリ４３と、操作部４５と、ヘッド制御部４６と、ヘッド４７と、用紙搬送制御部４８と、用紙搬送機構４９と、電源部５３と、外部電源入力端子５４と、プリント排出口５５と、システムコントローラ４４と、を備えて構成されている。
【００５１】
コネクタ受け４１は、カメラ１０の上記コネクタ３３と電気的な接続を行うものであり、Ｉ／Ｆ４２はこのコネクタ受け４１を介する入出力を制御するためのものである。
【００５２】
ラインバッファメモリ４３は、このＩ／Ｆ４２を介して上記カメラ１０から受け取った印刷用の画像データ（ラインデータ）を記憶する。
【００５３】
操作部４５は、ユーザによりプリンタの各種の操作を行うためのものであり、プリント動作開始を指示するための印刷開始操作部材であるプリントスイッチ４５１（図１参照）を含んでいる。
【００５４】
ヘッド制御部４６は、後述のシステムコントローラ４４の制御に基づき上記ラインバッファメモリ４３に記憶された画像データを用いて後述のヘッド４７の動作制御を行うものである。
【００５５】
ヘッド４７は、ヘッド制御部４６の制御により画素の一列に対応して配列された発熱素子をそれぞれ加熱して後述のインクリボン５２からペーパー５０への熱転写を行う。ヘッド制御部４６とヘッド４７はプリント部を構成している。
【００５６】
用紙搬送制御部４８は、上記ペーパー５０を上記ヘッド４７による熱転写に同期してかつ上記インクリボン５２の搬送に同期して配送させるように制御する。用紙搬送機構４９は、モータやローラ等を含んで成り、用紙搬送制御部４８の制御に基づき上記ペーパー５０を搬送する。
【００５７】
電源部５３は、プリンタ４０内の各部に電源を供給する。外部電源入力端子５４は、外部電源が接続されたときに前記電源部５３に電力を供給する。
【００５８】
プリント排出口５５は、印刷が終了したペーパー５０を排出するための排出口である。
【００５９】
システムコントローラ４４は、上述したような各回路を含むプリンタ４０全体をコントロールする機能を有するとともに、上記カメラ１０がプリンタ４０に接続された際に、そのときのカメラ１０の動作状態に応じて、印刷モードを設定し、プリントスイッチ４５１が押された時に、設定された印刷モードに従ってカメラ１０内のメモリカード２２から必要な画像を読み出して送信してもらう制御を行う。設定される印刷モードとしては、カメラ１０側のコマ送りスイッチ２８２を押す度に１コマずつ画像を読み出して印刷を実行する１コマ印刷モード、或いはメモリカード２２に記録されている画像全てを印刷する全コマ印刷モードがある。
【００６０】
また、このプリンタ４０には、印刷用紙となるペーパー５０が必要に応じて補充可能であるとともに、上記ヘッド４７により各色の画像を転写するためのインクリボン５２が収容されているインクカートリッジ５１が交換可能に装着されるようになっている。
【００６１】
図４は本発明の第１の実施の形態のプリントシステムの構成を示すブロック図である。
【００６２】
図４において、カメラ１０は、ＣＰＵ等で構成されカメラ各部を制御するカメラ制御手段１７を有しており、カメラ制御手段１７は、液晶パネル等で構成される表示手段２６の表示のオン，オフ状態を制御でき、その表示オン，オフ状態をプリンタ４０へ出力する一方、その表示オン,オフの状態に応じて、画像を記録している記録媒体２２から全コマの画像データを自動的に読み出してプリンタ４０へ出力したり、或いはコマ送りスイッチ２８２の操作に基づいて１コマずつ画像データを読み出してプリンタ４０へ出力したりできる。表示手段２６のオン，オフは図示しない表示オン／オフスイッチにて切り換えたり、或いは表示手段２６のオン，オフは図示しない電源スイッチのオン／オフの動作に連動して実行されるようになっている。即ち、カメラ制御手段１７は、表示手段２６の表示モードがオン状態であれば、記録媒体２２に記録してある画像のうちの１つを表示データとして表示手段２６に表示させ、さらにユーザーによってコマ送りスイッチ２８２が操作される度に記録媒体２２から順次画像データを読み出して表示手段２６に表示させると同時に、表示状態のオン，オフがプリンタ側へ伝えられる。
【００６３】
プリンタ４０は、その連結部にカメラ１０が連結され連結検出手段３にて連結が検出されている状態においては、カメラ表示状態検出手段４Ａは、カメラ制御手段１７からのカメラ表示状態を検出し、プリンタモード設定手段５に送る。プリンタモード設定手段５は、カメラ表示状態検出手段４Ａで検出した表示状態に応じて、プリンタ４０の印刷モードを設定し、その設定された印刷モードをプリンタ制御手段４４に送る。プリンタ制御手段４４は、印刷開始操作部材としてのプリントスイッチ４５１が操作されることによって、プリンタモード設定手段５からの印刷モードに応じたプリント動作をプリント部６に行わせる。プリント部６は、プリンタヘッドとその制御部で構成されている。
【００６４】
次に、上記の図４のブロック構成におけるプリントシステムの印刷動作を、図５〜図９を参照して説明する。
【００６５】
図５はプリンタ側の動作フローを示すフローチャートである。図３のシステムコントローラ４４の制御動作に対応している。
【００６６】
先ず、プリンタ４０に対してカメラ１０が装着されたか否かが判定され（ステップＳ1）、カメラ１０が装着されたことが検出されると、カメラ１０との通信を開始する（ステップＳ2）。そして、表示手段である液晶パネル（ＬＣＤ）２６がオン状態にあるか否かを判定し（ステップＳ3）、表示オンならば１コマ印刷モードに設定し（ステップＳ4）、表示オフならば全コマ印刷モード（ステップＳ5）に設定する。
【００６７】
次に、プリントスイッチ４５１がオンしたか否かの検出を行い（ステップＳ6）、プリントスイッチ４５１がオンしていれば、既に設定されている印刷モードを確認し（ステップＳ7）、１コマ印刷モードが設定されていれば１コマ印刷を行い（ステップＳ8）、全コマ印刷モードが設定されていれば全コマ印刷を行う（ステップＳ9）。
【００６８】
なお、ステップＳ6で、プリントスイッチ４５１がオンされていなければ、タイムオーバーか否かの判定を行い（ステップＳ10）、プリントスイッチオンまでの時間が所定時間を越えていないかどうかを確認する。タイムオーバーしていなければ、再びステップＳ6に戻ってプリントスイッチオンの確認を行い、タイムオーバーならば、終了する。
【００６９】
図６は図５のフローチャートにおける全コマ印刷のカメラ側の動作フローを示すフローチャートである。印刷開始指示があった場合の、図３におけるシステムコントローラ１７の制御動作に対応している。
【００７０】
先ず、プリンタ４０側からのプリント開始信号を受信したか否かを確認し（ステップＳ21）、プリント開始信号を受信していれば記録媒体であるメモリカード２２より画像ファイルを読み出し（ステップＳ22）、画像処理回路１６にて処理を行う。画像処理回路１６では、記録媒体より読み出されたＪＰＥＧ圧縮データを伸張した（ステップＳ23）後、プリント画像処理を行い（ステップＳ24）、伸張された画像データを変換処理してプリントデータを作成する。その後、作成されたプリントデータをライン単位でプリンタ４０側へ転送し（ステップＳ25）、ある時間を待って（ステップＳ26）、全ライン終了したか否かを確認する（ステップＳ27）。全ライン終了していなければ、再びステップＳ25に戻り、プリントデータの順次転送及びウェイトを繰り返し、全ラインの転送が終了していれば、全ライン終了信号をプリンタ４０側へ送信する（ステップＳ28）。そして、プリントデータ転送が全コマ終了したか否かの確認を行い（ステップＳ29）、全コマ終了していなければ、画像ファイル番号のインクリメントを行って（ステップＳ30）、再びステップＳ22〜Ｓ30を繰り返す。ステップＳ29で全コマ終了していれば、転送終了信号をプリンタ４０側へ送信する（ステップＳ31）。
【００７１】
図７は図５のフローチャートにおける全コマ印刷のプリンタ側の動作フローを示すフローチャートである。印刷開始指示を出した場合の、図３におけるシステムコントローラ４４の制御動作に対応している。
【００７２】
先ず、プリントスイッチ４５１を操作することによってプリント開始信号を発生してこれをカメラ１０側へ送信する（ステップＳ41）。これによってカメラ１０との通信を開始し、カメラ１０から画像のラインデータを取得し（ステップＳ42）、プリント処理を行う（ステップＳ43）。その後、カメラ１０側から全ライン終了信号を受信したか否かの確認を行い（ステップＳ44）、全ライン終了していなければ、再びステップＳ42〜Ｓ44を繰り返し、ラインデータの取得及びプリント処理を順次行い、全ライン終了していれば、１画像ファイルにつきプリントしたペーパーを排出する（ステップＳ45）。そして次に、カメラ１０側から全コマ転送終了の転送終了信号を受信したか否かの確認を行い（ステップＳ46）、転送終了信号を受信していなければ、再びステップＳ42〜Ｓ46を繰り返し、カメラ１０側から全コマ転送終了の転送終了信号を受信すれば、印刷動作を終了する。
【００７３】
図８は図５のフローチャートにおける１コマ印刷のカメラ側の動作フローを示すフローチャートである。印刷開始指示があった場合の、図３におけるシステムコントローラ１７の制御動作に対応している。
【００７４】
先ず、プリンタ４０側からのプリント開始信号を受信したか否かを確認し（ステップＳ51）、プリント開始信号を受信していれば記録媒体であるメモリカード２２より画像ファイルを読み出し（ステップＳ52）、画像処理回路１６にて処理を行う。画像処理回路１６では、記録媒体より読み出されたＪＰＥＧ圧縮データを伸張した（ステップＳ53）後、プリント画像処理を行い、伸張された画像データを処理してプリントデータを作成する（ステップＳ54）。その後、作成されたプリントデータをライン単位でプリンタ４０側へ転送し（ステップＳ55）、ある時間を待って（ステップＳ56）、全ライン終了したか否かを確認する（ステップＳ57）。全ライン終了していなければ、再びステップＳ55に戻り、プリントデータの順次転送及びウェイトを繰り返し、全ラインの転送が終了していれば、全ライン終了信号をプリンタ４０側へ送信する（ステップＳ58）。そして次に、コマ送りスイッチ２８２がオンされたか否かの確認を行い（ステップＳ59）、コマ送りスイッチ２８２がオン（ダウン指示）であれば、表示手段である液晶パネル２６には次コマ表示がなされ（ステップＳ60）、コマ送りスイッチ２８２がオン（アップ指示）であれば、液晶パネル２６には前コマ表示がなされる（ステップＳ61）。ステップＳ59で、コマ送りスイッチ２８２がオンしていなければ、タイムオーバーしたか否かを判定し（ステップＳ62）、タイムオーバーしていなければコマ送りスイッチのオン待ち状態となり、タイムオーバーすると終了する。
【００７５】
前述の次コマ表示Ｓ60及び前コマ表示Ｓ61がなされた後は、再びステップＳ51に戻り前述のＳ51〜Ｓ59の動作を繰り返す。なお、ステップＳ58の後段の全ライン終了信号送信後にコマ送りスイッチ２８２のスイッチオンの割り込みが入ることになる。
【００７６】
図９は図５のフローチャートにおける１コマ印刷のプリンタ側の動作フローを示すフローチャートである。印刷開始指示を出した場合の、図３におけるシステムコントローラ４４の制御動作に対応している。
【００７７】
先ず、プリントスイッチ４５１を操作することによってプリント開始信号を発生してこれをカメラ１０側へ送信する（ステップＳ71）。これによってカメラ１０との通信を開始し、カメラ１０から画像のラインデータを取得し（ステップＳ72）、プリント処理を行う（ステップＳ73）。その後、カメラ１０側から全ライン終了信号を受信したか否かの確認を行い（ステップＳ74）、全ライン終了していなければ、再びステップＳ72〜Ｓ74を繰り返し、ラインデータの取得及びプリント処理を順次行い、全ライン終了していれば、１画像ファイル（１コマ）につきプリントしたペーパーを排出する（ステップＳ75）。
【００７８】
図１０は本発明の第２の実施の形態のプリントシステムの構成を示すブロック図である。
【００７９】
図１０において、カメラ１０は、ＣＰＵ等で構成されカメラ各部を制御するカメラ制御手段１７を有しており、カメラ制御手段１７は、ユーザーによって電源スイッチ２８１がオン，オフされることによって、その電源オン,オフの状態に応じて、液晶パネル等で構成される表示手段２６の表示をオン，オフし、かつ該電源オン,オフ状態をプリンタ４０へ出力する一方、該電源オン,オフの状態に応じて、画像を記録している記録媒体２２から全コマの画像データを自動的に読み出してプリンタ４０へ出力したり、或いはコマ送りスイッチ２８２の操作に基づいて１コマずつ画像データを読み出してプリンタ４０へ出力したりできる。即ち、カメラ制御手段１７は電源スイッチ２８１がオン状態であれば、記録媒体２２に記録してある画像のうちの１つを表示データとして表示手段２６に表示させ、さらにユーザーによってコマ送りスイッチ２８２が操作される度に記録媒体２２から順次画像データを読み出して表示手段２６に表示させると同時に、電源状態のオン，オフがプリンタ側へ伝えられる。
【００８０】
プリンタ４０は、その連結部にカメラ１０が連結され連結検出手段３にて連結が検出されている状態においては、カメラ電源状態検出手段４Ｂは、カメラ制御手段１７からのカメラ電源状態を検出し、プリンタモード設定手段５に送る。プリンタモード設定手段５は、カメラ電源状態検出手段４Ｂで検出した電源オフ,オン状態に応じて、カメラ電源がオフ状態であればカメラ側に対してカメラ電源オン要求を出してカメラ１０の電源をオンにさせる一方、前記の検出した電源オフ,オン状態に応じて、プリンタ４０の印刷モードを設定し、その設定された印刷モードをプリンタ制御手段４４に送る。プリンタ制御手段４４は、印刷開始操作部材としてのプリントスイッチ４５１が操作されることによって、プリンタモード設定手段５からの印刷モードに応じたプリント動作をプリント部６に行わせる。プリント部６は、プリンタヘッドとその制御部で構成されている。
【００８１】
次に、上記の図１０のブロック構成におけるプリントシステムの印刷動作を、図１１〜図１５を参照して説明する。
【００８２】
図１１はプリンタ側の動作フローを示すフローチャートである。図３のシステムコントローラ４４の制御動作に対応している。
【００８３】
先ず、プリンタ４０に対してカメラ１０が装着されたか否かが確認され（ステップＳ81）、カメラ１０が装着されたことが検出されると、カメラ１０の電源がオン状態にあるか否かを判定する（ステップＳ82）。Ｓ82で、電源オンならばプリンタ４０内のコントローラ４４を１コマ印刷モードに設定し（ステップＳ83）、電源オフならばコントローラ４４を全コマ印刷モード（ステップＳ84）に設定する。
【００８４】
次に、プリントスイッチ４５１がオンしたか否かの検出を行い（ステップＳ85）、プリントスイッチ４５１がオンしていれば、既に設定されている印刷モードを確認し（ステップＳ86）、１コマ印刷モードが設定されていれば１コマ印刷を行い（ステップＳ87）、全コマ印刷モードが設定されていれば全コマ印刷を行う（ステップＳ88）。
【００８５】
なお、ステップＳ85で、プリントスイッチ４５１がオンされていなければ、タイムオーバーか否かの判定を行い（ステップＳ89）、プリントスイッチオンまでの時間が所定時間を越えていないかどうかを確認する。タイムオーバーしていなければ、再びステップＳ85に戻ってプリントスイッチオンの確認を行い、タイムオーバーならば、終了する。
【００８６】
図１２は図１１のフローチャートにおける全コマ印刷のカメラ側の動作フローを示すフローチャートである。印刷開始指示があった場合の、図３におけるシステムコントローラ１７の制御動作に対応している。
【００８７】
先ず、プリンタ４０側に全コマ印刷モードが設定されていれば後述（図１３）するプリンタ４０側からのカメラ電源オン要求に基づいてカメラ電源をオン（イニシャライズ）にした（ステップＳ101）後、プリンタ４０側からプリント開始信号を受信したか否かを確認する（ステップＳ102）。プリント開始信号を受信していれば、記録媒体であるメモリカード２２より画像ファイルを読み出し（ステップＳ103）、画像処理回路１６で処理を行う。画像処理回路１６では、記録媒体より読み出されたＪＰＥＧ圧縮データを伸張した（ステップＳ104）後、プリント画像処理を行い（ステップＳ105）、伸張された画像データを変換処理してプリントデータを作成する。その後、作成されたプリントデータをライン単位でプリンタ４０側へ転送し（ステップＳ106）、ある時間を待って（ステップＳ107）、全ライン終了したか否かを確認する（ステップＳ108）。全ライン終了していなければ、再びステップＳ106に戻り、ラインデータの順次転送及びウェイトを繰り返し、全ラインの転送が終了していれば、全ライン終了信号をプリンタ４０側へ送信する（ステップＳ109）。次に、プリントデータ転送が全コマ終了したか否かの確認を行い（ステップＳ110）、全コマ終了していなければ、画像ファイル番号のインクリメントを行って（ステップＳ111）、再びステップＳ103〜Ｓ111を繰り返す。ステップＳ110で全コマ終了していれば、全コマ転送終了の転送終了信号をプリンタ４０側へ送信した（ステップＳ112）後、プリンタ４０側からの電源オフ要求に基づいてカメラ電源をオフにし（ステップＳ113）、印刷動作を終了する。
【００８８】
図１３は図１１のフローチャートにおける全コマ印刷のプリンタ側の動作フローを示すフローチャートである。印刷開始指示を出した場合の、図３におけるシステムコントローラ４４の制御動作に対応している。
【００８９】
先ず、プリンタ４０側に全コマ印刷モードが設定されていれば前述（図１１のＳ85）のプリントスイッチ操作に基づいてカメラ１０側にカメラ電源オン要求を出し、カメラ電源をオンにさせた（ステップＳ121）後、プリント開始信号を発生してこれをカメラ１０側へ送信する（ステップＳ122）。これによってカメラ１０との通信を開始し、カメラ１０から画像のラインデータを取得し（ステップＳ123）、プリント処理を行う（ステップＳ124）。その後、カメラ１０側から全ライン終了信号を受信したか否かの確認を行い（ステップＳ125）、全ライン終了していなければ、再びステップＳ123〜Ｓ125を繰り返し、ラインデータの取得及びプリント処理を順次行い、全ライン終了していれば、１画像ファイルにつきプリントしたペーパーを排出する（ステップＳ126）。そして次に、カメラ１０側から全コマ転送終了の転送終了信号を受信したか否かの確認を行い（ステップＳ127）、転送終了信号を受信していなければ、再びステップＳ123〜Ｓ127を繰り返し、カメラ１０側から全コマ転送終了の転送終了信号を受信すれば、カメラ１０側にカメラ電源オフの要求を出し、カメラ電源をオフさせて（ステップＳ128）、印刷動作を終了する。
【００９０】
図１４は図１１のフローチャートにおける１コマ印刷のカメラ側の動作フローを示すフローチャートである。印刷開始指示があった場合の、図３におけるシステムコントローラ１７の制御動作に対応している。１コマ印刷の場合は予めカメラ電源がオン（このときＬＣＤもオン）であるので、図８のフローチャートと同様である。
【００９１】
先ず、プリンタ４０側からのプリント開始信号を受信したか否かを確認し（ステップＳ131）、プリント開始信号を受信していれば記録媒体であるメモリカード２２より画像ファイルを読み出し（ステップＳ132）、画像処理回路１６にて処理を行う。画像処理回路１６では、記録媒体より読み出されたＪＰＥＧ圧縮データを伸張した（ステップＳ133）後、プリント画像処理を行い、伸張された画像データを処理してプリントデータを作成する（ステップＳ134）。その後、作成されたプリントデータをライン単位でプリンタ４０側へ転送し（ステップＳ135）、ある時間を待って（ステップＳ136）、全ライン終了したか否かを確認する（ステップＳ137）。全ライン終了していなければ、再びステップＳ135に戻り、プリントデータの順次転送及びウェイトを繰り返し、全ラインの転送が終了していれば、全ライン終了信号をプリンタ４０側へ送信する（ステップＳ138）。そして次に、コマ送りスイッチ２８２がオンされたか否かの確認を行い（ステップＳ139）、コマ送りスイッチ２８２がオン（ダウン指示）であれば、表示手段である液晶パネル２６には次コマ表示がなされ（ステップＳ140）、コマ送りスイッチ２８２がオン（アップ指示）であれば、液晶パネル２６には前コマ表示がなされる（ステップＳ141）。ステップＳ139で、コマ送りスイッチ２８２がオンしていなければ、所定時間経過したか否かを判定し（ステップＳ142）、タイムオーバーしていなければコマ送りスイッチのオン待ち状態となり、タイムオーバーすると終了する。
【００９２】
前述の次コマ表示Ｓ140及び前コマ表示Ｓ141がなされた後は、再びステップＳ131に戻り前述の動作を繰り返す。なお、全ライン終了信号送信（ステップＳ138）の後段にコマ送りスイッチ２８２のスイッチオンの割り込みが入ることになる。
【００９３】
図１５は図１１のフローチャートにおける１コマ印刷のプリンタ側の動作フローを示すフローチャートである。印刷開始指示を出した場合の、図３におけるシステムコントローラ４４の制御動作に対応している。１コマ印刷の場合は予めカメラ電源がオン（このときＬＣＤもオン）であるので、図９のフローチャートと同様である。
【００９４】
先ず、プリントスイッチ４５１を操作することによってプリント開始信号を発生してこれをカメラ１０側へ送信する（ステップＳ151）。これによってカメラ１０との通信を開始し、カメラ１０から画像のラインデータを取得し（ステップＳ152）、プリント処理を行う（ステップＳ153）。その後、カメラ１０側から全ライン終了信号を受信したか否かの確認を行い（ステップＳ154）、全ライン終了していなければ、再びステップＳ152〜Ｓ154を繰り返し、ラインデータの取得及びプリント処理を順次行い、全ライン終了していれば、１画像ファイル（１コマ）につきプリントしたペーパーを排出する（ステップＳ155）。
【００９５】
以上述べた実施の形態では、プリンタ４０に印刷開始操作部材としてのプリントスイッチ４５１が配設されているが、ディジタルカメラ１０にプリントスイッチを配設する構成としてもよく、或いはプリンタ４０及びディジタルカメラ１０双方にプリントスイッチを配設しても良い。
【００９６】
【発明の効果】
以上述べたように本発明によれば、デジタルカメラとその撮影画像を印刷するプリントシステムにおいて、使用者の操作意図に沿ったプリンタの印刷モードを自動的に設定することができ、システムの操作性を向上させることができる。
【図面の簡単な説明】
【図１】本発明に係るプリントシステムの構成を概略的に示す図。
【図２】図１のプリントシステムの要部の機能的な構成を示すブロック図。
【図３】デジタルカメラとプリンタとを接続してなるプリントシステムの主として電気的な構成を示すブロック図。
【図４】本発明の第１の実施の形態のプリントシステムの構成を示すブロック図。
【図５】第１の実施の形態に対応した、プリンタ側の動作フローを示すフローチャート。
【図６】図５のフローチャートにおける全コマ印刷のカメラ側の動作フローを示すフローチャート。
【図７】図５のフローチャートにおける全コマ印刷のプリンタ側の動作フローを示すフローチャート。
【図８】図５のフローチャートにおける１コマ印刷のカメラ側の動作フローを示すフローチャート。
【図９】図５のフローチャートにおける１コマ印刷のプリンタ側の動作フローを示すフローチャート。
【図１０】本発明の第２の実施の形態のプリントシステムの構成を示すブロック図。
【図１１】第２の実施の形態に対応した、プリンタ側の動作フローを示すフローチャート。
【図１２】図１１のフローチャートにおける全コマ印刷のカメラ側の動作フローを示すフローチャート。
【図１３】図１１のフローチャートにおける全コマ印刷のプリンタ側の動作フローを示すフローチャート。
【図１４】図１１のフローチャートにおける１コマ印刷のカメラ側の動作フローを示すフローチャート。
【図１５】図１１のフローチャートにおける１コマ印刷のプリンタ側の動作フローを示すフローチャート。
【符号の説明】
１０…デジタルカメラ
１７…システムコントローラ
２２…メモリカード（記録媒体）
２８…操作部（電源スイッチ、コマ送りスイッチなど）
２９…電源部
３３…コネクタ
４０…プリンタ
４１…コネクタ受け（連結手段）
４４…システムコントローラ
４５…操作部（プリントスイッチなど）
４６…ヘッド制御部
４７…ヘッド
２８１…電源スイッチ
２８２…コマ送りスイッチ
２８３…表示オン／オフスイッチ
４５１…プリントスイッチ（印刷開始操作部材）
【図１】
0004266562.tif 000002
【図２】
0004266562.tif 000003
【図３】
0004266562.tif 000004
【図４】
0004266562.tif 000005
【図５】
0004266562.tif 000006
【図６】
0004266562.tif 000007
【図７】
0004266562.tif 000008
【図８】
0004266562.tif 000009
【図９】
0004266562.tif 000010
【図１０】
0004266562.tif 000011
【図１１】
0004266562.tif 000012
【図１２】
0004266562.tif 000013
【図１３】
0004266562.tif 000014
【図１４】
0004266562.tif 000015
【図１５】
0004266562.tif 000016